(57)【要約】【課題】安価に製造することができ、迅速に衣類に装着できるハンガーを提供する。【解決手段】ハンガー１は、フック部１０と、フック部１０の下方に設けられ、支持部２８を有する本体２０と、本体２０に、上下変位可能に支持される作動部材であるロッド３０と、本体２０の支持部２８に、根元が回動可能に支持される第一アーム４０及び第二アーム５０と、それらの夫々の根元側端部に、ロッド３０を押し下げる方向の力を第一アーム４０及び第二アーム５０が開く方向の力に変換するように設けられた一対の開閉部６０と、を備える。【選択図】図１
2020000859.tif 000002
【特許請求の範囲】
【請求項１】
フック部と、
前記フック部の下方に設けられ、支持部を有する本体と、
前記本体に、上下変位可能に支持される作動部材と、
前記本体の前記支持部に、根元が回動可能に支持される２本のアームと、
２本の前記アームの夫々の根元側端部に、前記作動部材を押し下げる方向の力を前記アームが開く方向の力に変換するように設けられた一対の開閉部と、
を備えるハンガー。
【請求項２】
前記開閉部は、
前記アームの長軸に対して、前記作動部材に接する面が鋭角をなす請求項１に記載のハンガー。
【請求項３】
前記開閉部は、
前記アームの長軸に対して、前記作動部材に接する面が鈍角をなす請求項１に記載のハンガー。
【請求項４】
前記本体は、板状の第一部材と前記第一部材と対向する第二部材とを有し、前記第一部材と前記第二部材の間で、前記作動部材を上下方向に変位可能に支持する請求項１〜３の何れか１項に記載のハンガー。
【請求項５】
前記本体は、使用者の片方の手の一の指を挿通可能な第一指挿通孔を有し、前記作動部材は、前記使用者の前記片方の手の他の指を挿通可能な第二指挿通孔を有する請求項１〜４の何れか１項に記載のハンガー。
【請求項６】
前記作動部材はロッドであり、
前記本体は、上端に前記ロッドが挿入される開口部を有する筒形状をなし、下端に切り欠き部を有する請求項１〜３の何れか１項に記載のハンガー。
【発明の詳細な説明】
【技術分野】
【０００１】
本発明は、ハンガーに関する。
【背景技術】
【０００２】
衣料品を販売する店舗において、例えば丸首のＴシャツをハンガーにかけて展示する場合、従来のハンガーを使うとＴシャツの下部からハンガーを差し入れなければならず、工数と時間がかかっていた。
【０００３】
この点に関し、ハンガーの左右のアームを下方に折りたたみ、Ｔシャツの首の部分からハンガーのアームを差し入れ、その後にアームを開くタイプのハンガーが提案されている（例えば、特許文献１）。
【０００４】
しかし、特許文献１に記載のハンガーは、アームを下方に折りたたむヒンジ部分の機構が複雑であり、製造コストが高いものとなっていた。
【先行技術文献】
【特許文献】
【０００５】
【特許文献１】実用新案登録第３０８９５３４号公報
【発明の概要】
【発明が解決しようとする課題】
【０００６】
本発明が解決しようとする課題は、安価に製造することができ、容易かつ迅速に衣類に着脱できるハンガーを提供することである。
【課題を解決するための手段】
【０００７】
上記課題を解決するために、本発明は、フック部と、フック部の下方に設けられ、支持部を有する本体と、本体に、上下変位可能に支持される作動部材と、本体の支持部に、根元が回動可能に支持される２本のアームと、２本のアームの夫々の根元側端部に、作動部材を押し下げる方向の力をアームが開く方向の力に変換するように設けられた一対の開閉部と、を備えるハンガーを提供する。
【０００８】
開閉部は、アームの長軸に対して、作動部材に接する面が鋭角をなすように設けることができる。
【０００９】
開閉部は、アームの長軸に対して、作動部材に接する面が鈍角をなすように設けることができる。
【００１０】
本体は、板状の第一部材と第一部材と対向する第二部材とを有し、第一部材と第二部材の間で、作動部材を上下方向に変位可能に支持するように形成させることができる。
その場合は、本体は、使用者の片方の手の一の指を挿通可能な第一指挿通孔を有し、作動部材は、使用者の片方の手の他の指を挿通可能な第二指挿通孔を有することが好ましい。
【００１１】
作動部材はロッドであり、本体は、上端にロッドが挿入される開口部を有する筒形状をなし、下端に切り欠き部を有するように形成させることもできる。
【発明の効果】
【００１２】
本発明によれば、安価に製造することができ、容易かつ迅速に衣類に着脱できるハンガーを提供することができる。
【図面の簡単な説明】
【００１３】
【図１】アームを開いた状態の第１実施形態のハンガーを示す正面図。
【図２】アームを閉じた状態の本実施形態のハンガーを示す正面図。
【図３】図１に示す本実施形態のハンガーを示す斜視図。
【図４】図１に示す本実施形態のハンガーの図３におけるＡ−Ａ断面図。
【図５】図２に示す本実施形態のハンガーの図３におけるＡ−Ａ断面図。
【図６】本体の下部の断面図。
【図７】アームを開いた状態の第２実施形態のハンガーの正面図。
【図８】アームを開いた状態の第３実施形態のハンガーを示す正面図。
【図９】図８に示す本実施形態のハンガーのアームが開いた状態で第二部材を取り除いた状態の正面図。
【図１０】図８に示す本実施形態のハンガーのアームが閉じた状態で第二部材を取り除いた状態の正面図。
【図１１】アームを開いた状態の第４実施形態のハンガーを示す正面図。
【図１２】図１１に示す本実施形態のハンガーのアームが開いた状態で第二部材を取り除いた状態の正面図。
【図１３】図１１に示す本実施形態のハンガーのアームが閉じた状態で第二部材を取り除いた状態の正面図。
【発明を実施するための形態】
【００１４】
以下、本発明のハンガーの第一実施形態を、図１〜６を参照しながら説明する。
【００１５】
〔第１実施形態〕
図１は第一アーム４０と第二アーム５０を開いた状態の本実施形態のハンガー１を示す正面図、図２は第一アーム４０と第二アーム５０を閉じた状態の本実施形態のハンガー１を示す正面図、図３は図１に示す本実施形態のハンガー１を示す斜視図、図４は図１に示す本実施形態のハンガー１の図３におけるＡ−Ａ断面図、図５は図２に示す本実施形態のハンガーの図３におけるＡ−Ａ断面図、図６は本体の下部の断面図である。
【００１６】
本明細書において、図１を正面視した場合の上下左右、手前側、奥側をそれぞれ上下左右、手前側、奥側という。
【００１７】
図１から図６までに示すように、本実施形態のハンガー１は、フック部１０と、フック部１０の下方に設けられ、支持部２８を有する本体２０と、本体２０に、上下変位可能に支持される作動部材であるロッド３０と、本体２０の支持部２８に、根元が回動可能に支持される第一アーム４０及び第二アーム５０と、それらの夫々の根元側端部に、ロッド３０を押し下げる方向の力を第一アーム４０及び第二アーム５０が開く方向の力に変換するように設けられた一対の開閉部６０と、を備える。
ハンガー１は、開閉部６０を押圧乃至開放して第一アーム４０と第二アーム５０の開閉状態を変える開閉機構の構成する作動部材であるロッド３０を上下方向に変位させることにより、第一アーム４０と第二アーム５０の開閉状態を変えることができる。
【００１８】
ハンガー１は、合成樹脂、金属のほか、紙や木によっても形成可能である。
【００１９】
フック部１０は、物干竿等の被掛体にハンガー１を吊ることができるように湾曲する。フック部１０の下端には本体２０が設けられる。
【００２０】
本体２０は、上面の開口部から下方に向かって伸びる空洞部２１を有し、有底筒状をなす。本体２０は、正面視において略四角形に形成されている。本体２０は、奥側に配置される第一部材２４と、手前側に配置される第二部材２６と、を有する。
【００２１】
第一部材２４は内側の上下方向中ほどの左右に寄った位置に、先端に凹部を有する一対のメスピン２５を備える。第二部材２６は、メスピン２５に対応する位置に、先端に凸部を有する一対のオスピン２７を備える。メスピン２５にオスピン２７を嵌合させた状態の部材を、以下、支持部２８という。支持部２８は本体２０に一体に形成されていても、別体に形成されていてもよい。
【００２２】
本体２０の空洞部２１にはロッド３０が挿入される。空洞部２１は、上端を開口部として上下方向に沿って設けられる。ロッド３０は上下方向に変位可能に空洞部２１に挿入される。第一部材２４又は第二部材２６には、開閉機構を構成する要素であり、ロッド３０の上方方向の変位を制限するためのロッド支持部３０Ｂが設けられている。ロッド支持部３０Ｂは、空洞部２１にロッド３０が配置されるときに、ロッド３０の開閉機構を構成する要素である縦長貫通孔３０Ａの中で上下方向に変位可能に挿通される。
【００２３】
空洞部２１は、開口から底面までの距離が、ロッド３０の長さよりも短い。従って、ロッド３０の下端が本体２０の底に達しても、ロッド３０は、全ては本体２０に挿入されない。
【００２４】
第一部材２４は開口部分を除き、縁に壁部を有する。第一部材２４は、メスピン２５とほぼ同じ高さから下方に向かって進み、本体２０の底に相当する位置の一部まで、壁部が切り欠かれた第一切欠き２２を有する。第二部材２６は開口部分を除き、縁に壁部を有する。第二部材２６は、オスピン２７とほぼ同じ高さから下方に向かって進み、本体２０の底に相当する位置の一部まで、壁部が切り欠かれた第二切欠き２３を有する。
【００２５】
第一部材２４と第二部材２６とを合わせると、第一切欠き２２と第二切欠き２３とによって二つの貫通孔が出来上がる。
【００２６】
第一アーム４０の根元には貫通孔である支持部挿通孔４２が、第二アーム５０の根元には貫通孔である支持部挿通孔５２がそれぞれ設けられる。支持部挿通孔４２と支持部挿通孔５２にはそれぞれ支持部２８が挿通されることにより、第一アーム４０及び第二アーム５０は本体２０に回動可能に取り付けられる。
【００２７】
第一アーム４０の根元側の端部及び第二アーム５０の根元側の端部には、第一アーム４０及び第二アーム５０が開いたときに第一アーム４０及び第二アーム５０の上端面と鋭角をなして下方に伸びる面を有する板状の部材である開閉部６０が設置される。開閉部６０は、第一アーム４０及び第二アーム５０の長軸に対して、ロッド３０に接する面が鋭角をなす面であってもよい。
【００２８】
開閉部６０は、ロッド３０が下側に向かう力を、第一アーム４０と第二アーム５０が開く方向の力に変換する。
【００２９】
ロッド３０は、本体２０の空洞部２１を上下方向に変位することにより、開閉部６０を押圧乃至開放し、第一アーム４０と第二アーム５０の開閉状態を変える。ロッド３０は、中空有底の柱形状をなす。ロッド３０は側面のうち開閉部６０に対向しない面の一つに、ロッド３０の長軸方向に伸びる縦長貫通孔３０Ａを有する。ロッド３０はロッド支持部３０Ｂが縦長貫通孔３０Ａに挿通されてロッド３０に係止されることにより、空洞部２１を上下変位可能に本体２０に係止される。
【００３０】
ロッド３０の上端部の底を使用者の指と当接する押下げ部３１といい、ロッド３０の下端部の底を当接部３２という。押下げ部３１は、当接部３２よりも太く形成されてもよい。押下げ部３１の上面の面積を大きくすることにより、ロッド３０を容易に押し下げることができる。
【００３１】
当接部３２は、左右方向の幅が、第一アーム４０と第二アーム５０が開いた状態になったときの開閉部６０同士の間の距離と同じか僅かに小さい。ロッド３０を押し下げて下側に変位させると、下側に向かう力が開閉部６０によって第一アーム４０と第二アーム５０とを開く方向の力に変換され、第一アーム４０と第二アーム５０が開く。ロッド３０を引き上げると、第一アーム４０と第二アーム５０とを開く方向の力が無くなり、第一アーム４０と第二アーム５０は自重によって閉じる。
【００３２】
第一アーム４０は、側面視がＬ字状をなし、上端面に第一板４１、第一板４１の下面に第一板４１の長手方向に沿って第二板４３を有する。第一板４１と第二板４３は、衣類を吊り下げるのに適した長さを有する。
【００３３】
第二アーム５０は、側面視がＬ字状をなし、上端面に第一板５１、第一板５１の下面に第一板５１の長手方向に沿って第二板５３有する。第一板５１と第二板５３は、衣類を吊り下げるのに適した長さを有する。
【００３４】
次に、ハンガー１の動作について説明する。
【００３５】
最初に、第一アーム４０と第二アーム５０を閉じた状態から開く状態にする際の動作について説明する。
【００３６】
図２に示す第一アーム４０と第二アーム５０を閉じた状態において、この２本のアームをＴシャツなどの衣類の首穴に挿入する。
【００３７】
第一アーム４０と第二アーム５０の向きをそれぞれ袖の向きに合わせ、押下げ部３１を指で押して、ロッド３０を下側に変位させる。その際、当接部３２が開閉部６０に当接して、一対の開閉部６０を押し開き、第一アーム４０と第二アーム５０が次第に開いた状態になっていく。そして、ロッド３０の下端が本体２０の底付近まで押し下げられると、第一アーム４０と第二アーム５０は開かれた状態になる。そして、第一アーム４０と第二アーム５０が開いた状態は、図４に示すように、開閉部６０がロッド３０の側面と面接触して維持される。
【００３８】
次に、第一アーム４０と第二アーム５０を開いた状態から閉じた状態にする際の動作について説明する。
【００３９】
図１に示す第一アーム４０と第二アーム５０を開いた状態において、ロッド３０を上側に変位させる。図４に示す開閉部６０がロッド３０の側面と空洞部２１の内面に挟まれた状態から解除されて、第一アーム４０と第二アーム５０が自重により閉じた状態になる。
【００４０】
以上述べたように、本実施形態のハンガー１は、フック部１０と、フック部１０の下方に設けられ、上端が開口する筒形状をなし、下端に支持部２８及び切り欠き部（第一切欠き２２及び第二切欠き２３）を有する本体２０と、本体２０の内部に上下変位可能に配置されるロッド３０と、本体２０に根元が支持部２８によって回動可能に支持される２本のアーム（第一アーム４０及び第二アーム５０）と、各アームの根元側端部にロッド３０を押し下げる方向の力をアームが開く方向の力に変換する一対の開閉部６０と、を備える。
【００４１】
従って、本発明に係るハンガー１は、構成が簡単であり、ロッド３０を押し下げることにより第一アーム４０と第二アーム５０を一回の動作によって開くことができるという効果がある。よって、安価に製造することができ、容易かつ迅速に衣類に脱着できるハンガーを提供することができるという効果がある。
【００４２】
〔第２実施形態〕
次に、第２実施形態について図７を参照して説明する。
第１実施形態と同じ構成要素には、第１実施形態と同じ符号を付し、説明を省略する。
【００４３】
第一実施形態が第一部材２４と第二部材２６により本体２０が筒状に形成されていたのに対し、本実施形態のハンガー１Ａは、板状の対面する第一部材２４ａと第二部材２６ａにより、本体２０ａがロッド３０を手前側と奥側の両面で上下方向に変位可能に挟むように形成されている。
【００４４】
第一部材２４ａは、第１実施形態のハンガー１と同様にメスピン２５に加えて、先端に凹部を有する第一メスピン２５ａを有する。
第一メスピン２５ａは、第二部材２６ａとの対向面におけるメスピン２５よりも上側の左右に寄った位置と、前記メスピン２５よりも下側の左右方向の中間の位置に設けられている。
具体的には、上側の左右一対の第一メスピン２５ａが、その間にロッド３０を上下方向に変位可能に挿入できるように設けられている。また、下側の第一メスピン２５ａは、ロッド３０の下端が当接し、ロッド３０の全てが本体２０ａの中に挿入できない位置に設けられている。
【００４５】
第二部材２６ａは、第１実施形態のハンガー１と同様にオスピン２７に加えて、３つの第一メスピン２５ａの夫々に対応する位置に、先端に凸部を有する３つの第一オスピン２７ａを備える。
【００４６】
第一部材２４ａと第二部材２６ａは、第一オスピン２７ａを第一メスピン２５ａに嵌合させることにより、連結される。第一部材２４ａと第二部材２６ａが連結されると、第１実施形態と同様に、第一アーム４０の根元に設けられた支持部挿通孔４２と第二アーム５０の根元に設けられた支持部挿通孔５２に、夫々挿通される一対の支持部２８が形成される。ロッド３０は、本体２０ａの内部で上下方向に変位可能に支持される。
【００４７】
以上述べたように、本実施形態のハンガー１Ａにおいても、第１実施形態のハンガー１と同様に、動作させることができる。
そして、本体２０ａを筒状でなく板状の第一部材２４ａと第二部材２６ａによりロッド３０を挟むように形成させることにより、第１実施形態のハンガー１よりも構造が簡単になり、安価に製造することができる。
【００４８】
〔第３実施形態〕
次に、第３実施形態について図８から図１０を参照して説明する。
第１実施形態と同じ構成要素には、第１実施形態と同じ符号を付し、説明を省略する。
【００４９】
第一実施形態が第一部材２４と第二部材２６により本体２０が筒状に形成されていたのに対し、本実施形態のハンガー１Ｂは、板状の対面する第一部材２４ｂと第二部材２６ｂにより、本体２０ｂがロッド３０ｂを手前側と奥側の両面で上下方向に変位可能に挟むように形状に形成されている。
さらに、ハンガー１Ｂは、開閉機構が、後述する第一アーム４０ｂと第二アーム５０ｂを片手で開閉するための構成要素を有する。
【００５０】
第一部材２４ｂは、第１実施形態のハンガー１と同様にメスピン２５に加えて、上端にフック部１０ｂと、第二部材２６ｂとの対向面に、ガイド片２９と、開閉機構を構成する貫通孔３０Ｃとを有する。
【００５１】
フック部１０ｂは、第一部材２４ｂの上端に設けられている。つまり、第１実施形態では、ロッド３０がフック部１０が一体に設けられているのに対し、本実施形態では、ロッド３０ｂがフック部１０ｂとは別に設けられている。
【００５２】
ガイド片２９は、ロッド３０ｂが上下方向に変位する際にガイドするためのものである。
ガイド片２９は、第二部材２６ｂとの対向面に２つ設けられている。
ガイド片２９は、ロッド３０ｂの下端の位置から上端の位置までの変位をガイド出来るように、第一部材２４ｂの上端から上側に伸びている。ロッド３０ｂが下端の位置に配置されると、開閉部６０を押圧して第一アーム４０ｂと第二アーム５０ｂを開いた状態にすることができ、ロッド３０ｂが上端の位置に配置されると、開閉部６０を開放して第一アーム４０ｂと第二アーム５０ｂを閉じた状態できる。
ガイド片２９は、第二部材２６ｂと当接する当接面を有し、その当接面に後述する第二部材２６ｂに設けられたボス２６ｄが嵌合するボス穴２９ｂが形成されている。
一対のガイド片２９の間の距離は、ロッド３０ｂの左右方向の幅と等しいか僅かに大きい。
なお、ガイド片２９は、第一部材２４ｂと一体に設けられていなくてもよい。例えば、支持部２８と同様にオスピンとメスピンにより設けられた支持部により、回転不能に係止されていてもよい。
【００５３】
貫通孔３０Ｃは、第一部材２４ｂの表裏を貫通して形成されている。
貫通孔３０Ｃは、人間の一の指を挿入可能な程度の大きさで形成されている。
貫通孔３０Ｃは、ロッド３０ｂが開閉部６０を押圧している位置において、ロッド３０ｂが露出しない位置に形成されている。
貫通孔３０Ｃは、正面視したときに、後述する第二部材２６ｂの貫通孔３０Ｄと重なるように形成されている。貫通孔３０Ｃと貫通孔３０Ｄにより第一指挿通孔３０Ｅが形成される。
【００５４】
第二部材２６ｂは、上端にフック部１０ｂと、第一部材２４ｂとの対向面に、ボス穴２９ｂに対向する位置にボス２６ｄと、メスピン２５と対向する位置にオスピン２７と、貫通孔３０Ｃに対向する位置に開閉機構を構成する貫通孔３０Ｄとを有する。
貫通孔３０Ｄは、貫通孔３０Ｃと同一、又は略同一に形成されている。
なお、フック部１０ｂは、第一部材２４ｂと第二部材２６ｂのどちらか一方のみに設けられていてもよい。
【００５５】
第一部材２４ｂと第二部材２６ｂは、ボス２６ｄをボス穴２９ｂに嵌合させることにより、連結される。第一部材２４ｂと第二部材２６ｂが連結されると、第１実施形態と同様に、第一アーム４０ｂの根元に設けられた支持部挿通孔４２と、第二アーム５０ｂの根元に設けられた支持部挿通孔５２が夫々挿通される一対の支持部２８が形成される。
なお、第一部材２４ｂ又は第二部材２６ｂには、第１実施形態と同様に、開閉機構を構成する要素であり、ロッド３０ｂの上方方向の変位を制限するためのロッド支持部３０Ｂが設けられている。ロッド支持部３０Ｂは、ロッド３０ｂが本体２０ｂの内部に配置されるときに、ロッド３０ｂに設けられた開閉機構を構成する要素である縦長貫通孔３０Ａに上下方向に変位可能に挿通される。
【００５６】
第一アーム４０ｂは、平板状に形成されている。つまり、第一実施形態の第一アーム４０のように、第一板４１を有しない。
第一アーム４０ｂは、根元側の端部に開閉部６０ｂが設置される。開閉部６０ｂは、手前側から奥側への奥行方向の厚さが、第一アーム４０ｂと略等しく形成されている。
第一アーム４０ｂは、衣類を吊り下げるのに適した長さを有する。
【００５７】
第二アーム５０ｂは、第一アーム４０ｂと線対称の関係にある以外は、その構造が第一アーム４０ｂと同じである。
【００５８】
ロッド３０ｂは、板状に形成されている。上側に表裏を貫通する第二指挿通孔３０Ｆが形成されている。第一指挿通孔３０Ｅと第二指挿通孔３０Ｆの間の距離は、ロッド３０ｂが開閉部６０ｂを押圧しているときよりも、ロッド３０ｂが開閉部６０ｂを押圧していないときの方が長くなる。
【００５９】
なお、ロッド３０ｂは、第１実施形態のロッド３０と同様に、側面のうち開閉部６０ｂに対向しない面の一つに、ロッド３０の長軸方向に伸びる縦長貫通孔３０Ａを有する。ロッド３０ｂは、縦長貫通孔３０Ａにロッド支持部３０Ｂが挿通されていることにより、本体２０ｂに上下変位可能に支持される。
【００６０】
次に、ハンガー１Ｂの動作について、第１実施形態のハンガー１と異なる点について説明する。具体的には、開閉機構として第一指挿通孔３０Ｅと第二指挿通孔３０Ｆを有することにより、ハンガー１と異なる動作について説明する。
【００６１】
最初に、第一アーム４０ｂと第二アーム５０ｂを閉じた状態から開く状態にする際の動作について説明する。
【００６２】
まず、第一アーム４０ｂと第二アーム５０ｂを閉じた状態において、この２本のアームをＴシャツなどの衣類の首穴に挿入する。
【００６３】
第一アーム４０ｂと第二アーム５０ｂの向きをそれぞれ袖の向きに合わせ、第一指挿通孔３０Ｅと第二指挿通孔３０Ｆの夫々に片方の手の一の指を入れて、第一指挿通孔３０Ｅと第二指挿通孔３０Ｆの間の距離が短くなるようにする動作を行う。それにより、ロッド３０ｂを下側に変位させて当接部３２が開閉部６０ｂに当接させることで、一対の開閉部６０ｂを押し開き、第一アーム４０ｂと第二アーム５０ｂが開いた状態になっていく。そして、第一アーム４０ｂと第二アーム５０ｂが開いた状態は、図９に示すように、開閉部６０がロッド３０ｂの側面と当接することで、維持される。
【００６４】
次に、第一アーム４０ｂと第二アーム５０ｂを開いた状態から閉じた状態にする際の動作について説明する。
【００６５】
図９に示す第一アーム４０ｂと第二アーム５０ｂを開いた状態において、第一指挿通孔３０Ｅと第二指挿通孔３０Ｆに片方の手の指を入れて、第一指挿通孔３０Ｅと第二指挿通孔３０Ｆの間の距離が長くなるようにする動作を行う。それにより、ロッド３０ｂを上側に変位させて、図９に示す開閉部６０ｂが当接部３２に隣接する側面に当接した状態から解除されて、図１０に示す第一アーム４０ｂと第二アーム５０ｂが自重により閉じた状態になる。
【００６６】
以上述べたように、本実施形態のハンガー１Ｂは、その開閉機構が第一指挿通孔３０Ｅと第二指挿通孔３０Ｆを有していることにより、片手で、容易に開閉部６０ｂを押圧乃至開放して、第一アーム４０ｂと第二アーム５０ｂの開閉状態を変えることができる。
【００６７】
〔第４実施形態〕
次に、第４実施形態について図１１から図１３を参照して説明する。
第１実施形態と同じ構成要素には、第１実施形態と同じ符号を付し、説明を省略する。
【００６８】
第１実施形態が第一部材２４と第二部材２６により本体２０が筒状に形成されていたのに対し、本実施形態のハンガー１Ｃは、板状の第一部材２４ｃと第二部材２６ｃにより、本体２０ｃが開閉機構を構成する作動部材３０ｃを手前側と奥側の両面で上下方向に変位可能に挟むように形成されている。
また、本実施形態のハンガー１Ｃは、開閉機構が、後述する第一アーム４０ｃと第二アーム５０ｃを片手で開閉するための構成要素を有する。
さらに、開閉部６０ｃの形状が第１実施形態の開閉部６０と異なり、開いたときに第一アーム４０ｃの上端面と鈍角をなして上方に伸びる面を有するように設けられている。
【００６９】
第一部材２４ｃは、第１実施形態のハンガー１と同様にメスピン２５に加えて、第二部材２６ａと対向する面に先端に凹部を有する第二メスピン２５ｃと、開閉機構を構成する貫通孔３０Ｇとを有する。
【００７０】
第二メスピン２５ｃは、第一部材２４ｃの第二部材２６ｃと対向する面において、貫通孔３０Ｇよりも上側の位置と、貫通孔３０Ｇよりも下側の位置に設けられる。具体的には、貫通孔３０Ｇよりも上側の位置で、一対の第二メスピン２５ｃが、後述する作動部材３０ｃの縦長貫通孔３０Ｌの左右方向の側面と当接するように設けられて、同様に、貫通孔３０Ｇよりも下側の位置で、一対の第二メスピン２５ｃが縦長貫通孔３０Ｌの左右方向の側面と当接するように設けられている。
【００７１】
貫通孔３０Ｇは、第一部材２４ｃの表裏を貫通して形成されている。
貫通孔３０Ｇは、人間の一の指を挿入できる程度の大きさで形成されている。
貫通孔３０Ｇは、正面視したときに、後述する第二部材２６ｃの貫通孔３０Ｈと重なるように形成されている。貫通孔３０Ｇと貫通孔３０Ｈにより第一指挿通孔３０Ｉが形成される。
【００７２】
第二部材２６ｃは、第１実施形態のハンガー１と同様にオスピン２７に加えて、４つの第二メスピン２５ｃの夫々に対応する位置に先端に凸部を有する第二オスピン２７ｃと、貫通孔３０Ｇに対向する位置に開閉機構を構成する貫通孔３０Ｈとを有する。
貫通孔３０Ｈは、貫通孔３０Ｇと同一、又は略同一に形成されている。
【００７３】
第一部材２４ｃと第二部材２６ｃは、第二オスピン２７ｃを第二メスピン２５ｃに嵌合させることにより、連結される。第一部材２４ｃと第二部材２６ｃが連結されると、第１実施形態と同様に、第一アーム４０ｃの根元に設けられた支持部挿通孔４２と、第二アーム５０ｃの根元に設けられた支持部挿通孔５２が夫々挿通される一対の支持部２８が形成される。
なお、第１実施形態のロッド支持部３０Ｂの代わりに、本実施形態では、第二メスピン２５ｃが、作動部材３０ｃの左右方向及び上方方向の変位を制限する役割も有する。つまり、第二メスピン２５ｃは、作動部材３０ｃが本体２０ｃの内部に配置されるときに、作動部材３０ｃに設けられた開閉機構を構成する要素である縦長貫通孔３０Ｌに挿通される。
【００７４】
第一アーム４０ｃは、平板状に形成されている。つまり、第一実施形態の第一アーム４０のように、第一板４１を有しない。
第１実施形態の第一アーム４０には、第一アーム４０が開いたときにその上端面と鋭角をなして下方に伸びる面を有する開閉部６０が設置されていたのに対し、第一アーム４０ｃには、その根元側の端部に、開いたときに第一アーム４０ｃの上端面と鈍角をなして上方に伸びる面を有する開閉部６０ｃが設けられている。
開閉部６０ｃは、手前側から奥側への奥行方向の厚さが、第一アーム４０ｃと略等しく形成されている。
第一アーム４０ｃは、衣類を吊り下げるのに適した長さを有する。
【００７５】
第二アーム５０ｃは、第一アーム４０ｃと線対称の関係にある以外は、その構造が第一アーム４０ｃと同じである。
【００７６】
作動部材３０ｃは、板状に形成されている。フック部１０の近傍に表裏を貫通する第二指挿通孔３０Ｋが形成されている。第一指挿通孔３０Ｉと第二指挿通孔３０Ｋの間の距離は、作動部材３０ｃが開閉部６０ｃを押圧しているときよりも、作動部材３０ｃが開閉部６０ｃの押圧から開放されているときの方が長くなる。
作動部材３０ｃは、当接部３２が、その左右方向の中間で下側に伸びて形成されるロッド部３２ａと、左右方向の端に下側に伸びて形成される固定部３２ｂとを有する。
【００７７】
ロッド部３２ａは、第一アーム４０ｃと第二アーム５０ｃの開閉部６０ｃを押圧乃至開放して、これらの開閉状態を変えることができる。
ロッド部３２ａは、その下端が、第一アーム４０ｃと第二アーム５０ｃが閉じた状態の時の一対の開閉部６０ｃと当接する。
ロッド部３２ａの左右方向の幅は、第一アーム４０ｃと第二アーム５０ｃが開いた状態になったときの開閉部６０ｃ同士の間の距離と同じか僅かに小さい。そのため、作動部材３０ｃが押し下げると、ロッド部３２ａの側面が開閉部６０ｃと当接するが、その状態でさらに作動部材３０ｃが押し下げて、開閉部６０ｃをロッド部３２ａと固定部３２ｂの間に位置させることができる。これにより、第一アーム４０ｃと第二アーム５０ｃが開いた状態を維持できる。
【００７８】
固定部３２ｂは、開閉部６０ｃとロッド部３２ａの面接触が万一維持できなくなった場合に、第一アーム４０ｃと第二アーム５０ｃが開いた状態を維持することができる。
固定部３２ｂは、ロッド部３２ａよりも短く形成されている。具体的には、ロッド部３２ａに開閉部６０ｃが押圧されて第一アーム４０ｃと第二アーム５０ｃが閉じた状態から開いた状態に回動する際に、開閉部６０ｃと接触して回動を阻害しないように、ロッド部３２ａよりも短く形成されている。
ロッド部３２ａと固定部３２ｂの間は、第一アーム４０ｃが開いた状態になったときの開閉部６０ｃの左右方法の幅と略等しい。
【００７９】
作動部材３０ｃを押し下げて下側に変位させると、第一アーム４０ｃと第二アーム５０ｃに当接したロッド部３２ａにより、下側に向かう力が開閉部６０ｃによって第一アーム４０ｃと第二アーム５０ｃとを開く方向の力に変換され、第一アーム４０ｃと第二アーム５０ｃが開く。第一アーム４０ｃと第二アーム５０ｃが開いた位置で、一対の開閉部６０ｃがロッド部３２ａと固定部３２ｂの間に位置する。第一アーム４０ｃと第二アーム５０ｃが開いた状態は、開閉部６０ｃがロッド部３２ａの側面と面接触して維持される。
一方、作動部材３０ｃを上側に変位させると、ロッド部３２ａが開閉部６０ｃと当接しなくなることで、図１２に示す第一アーム４０ｃと第二アーム５０ｃがロッド部３２ａと当接した状態から解除されて、第一アーム４０と第二アーム５０は自重によって閉じる。
【００８０】
作動部材３０ｃは、第１実施形態のロッド３０と同様に、側面のうち開閉部６０に対向しない面の一つに、作動部材３０ｃの長軸方向に伸びる縦長貫通孔３０Ｌを有する。縦長貫通孔３０Ｌは、左右方向の幅が、第一指挿通孔３０Ｉの直径と略等しく形成されている。
ロッド３０ｂは、縦長貫通孔３０Ｌに第二メスピン２５ｃが挿通されていることにより、本体２０ｃに上下変位可能に支持される。
【００８１】
次に、ハンガー１Ｃの動作について、第１実施形態のハンガー１と異なる点について説明する。具体的には、開閉機構として第一指挿通孔３０Ｉと第二指挿通孔３０Ｋを有することにより、ハンガー１と異なる動作について説明する。
【００８２】
まず、第一アーム４０ｃと第二アーム５０ｃを閉じた状態において、この２本のアームをＴシャツなどの衣類の首穴に挿入する。
【００８３】
第一アーム４０ｃと第二アーム５０ｃの向きをそれぞれ袖の向きに合わせ、第一指挿通孔３０Ｉと第二指挿通孔３０Ｋに片方の手の指を入れて、第一指挿通孔３０Ｉと第二指挿通孔３０Ｋの間の距離が短くなるようにする動作を行う。それにより、作動部材３０ｃを下側に変位させて当接部３２のロッド部３２ａを開閉部６０ｃに当接させることで、一対の開閉部６０ｃを押し開き、第一アーム４０ｃと第二アーム５０ｃが開いた状態になっていく。そして、第一アーム４０ｃと第二アーム５０ｃが開いた状態は、図１２に示すように、開閉部６０ｃが作動部材３０ｃのロッド部３２ａの側面と接触して維持される。
【００８４】
次に、第一アーム４０ｃと第二アーム５０ｃを開いた状態から閉じた状態にする際の動作について説明する。
【００８５】
図１２に示す第一アーム４０ｃと第二アーム５０ｃを開いた状態において、第一指挿通孔３０Ｅと第二指挿通孔３０Ｆに片方の手の指を入れて、第一指挿通孔３０Ｅと第二指挿通孔３０Ｆの間の距離が長くなるようにする動作を行う。それにより、作動部材３０ｃを上側に変位させて、図１２に示す開閉部６０がロッド部３２ａに当接した状態から解除されて、第一アーム４０ｃと第二アーム５０ｃが自重により閉じた状態になる。
【００８６】
以上述べたように、本実施形態のハンガー１Ｃは、その開閉機構が第一指挿通孔３０Ｉと第二指挿通孔３０Ｋを有していることにより、片手で、容易に開閉部６０ｃを押圧乃至開放して、第一アーム４０ｃと第二アーム５０ｃの開閉状態を変えることができる。
【００８７】
以上、本発明のハンガーについて、上述した実施形態を用いて説明したが、本発明は、これに限定されない。
【００８８】
例えば、上述した実施形態では、ロッド３０は、押下げ部３１と当接部３２を有しているが、当接部３２のみ有していてもよい。その場合にも、ロッド３０を押し下げることができる。
【００８９】
また、本実施形態では、第一アーム４０と第二アーム５０が用いられているが、本発明はこれに限定されない。２つのアームが互いに同一形状に形成され、一方のアームが他方の裏返しに用いられてもよい。その場合には、第一切欠き２２と第二切欠き２３がアームに対応して形成される。
【００９０】
さらに、第１実施形態では、第一アーム４０と第二アーム５０は、第一板と第二板を有しているが、本発明はこれに限定されない。第一板と第二板のどちらか一方のみを有していてもよい。
【符号の説明】
【００９１】
１    ハンガー
１０  フック部
２０  本体
２８  支持部
３０  ロッド
４０  第一アーム
５０  第二アーム
６０  開閉部
【図１】
2020000859.tif 000003
【図２】
2020000859.tif 000004
【図３】
2020000859.tif 000005
【図４】
2020000859.tif 000006
【図５】
2020000859.tif 000007
【図６】
2020000859.tif 000008
【図７】
2020000859.tif 000009
【図８】
2020000859.tif 000010
【図９】
2020000859.tif 000011
【図１０】
2020000859.tif 000012
【図１１】
2020000859.tif 000013
【図１２】
2020000859.tif 000014
【図１３】
2020000859.tif 000015